(57)【特許請求の範囲】
【請求項１】
玄関子機（ＢＱ1）で呼出スイッチ（ＳＷ1）を押下したとき照明用ＬＥＤ（３４）を点灯させカラーテレビカメラ（１）により来訪者を撮像したカラー映像信号を、前記玄関子機に２線の伝送路（Ｌ1、Ｌ2）を介して接続された室内親機（ＡＱ1）でカラーテレビモニタ（１１）によりモニタするカラーテレビドアホン装置であって、
前記玄関子機は、前記呼出ボタンが押下されたとき前記室内親機から前記伝送路を介して供給されてくる電源電圧を一定の電圧に調整する定電圧回路（３１）と、前記定電圧回路からの定電圧出力が印加され、前記照明用ＬＥＤに流れるＬＥＤ電流を漸増して前記点灯による照明を徐々に明るくするための充電特性をもつコンデンサ（Ｃ1）を含む電流制御回路（３２）と、前記電流制御回路からの電流出力により前記ＬＥＤ電流を定電流化して供給する定電流回路（３３、３５）とを有する照明回路（７）を備えたことを特徴とするカラーテレビドアホン装置。
【発明の詳細な説明】
【０００１】
【発明の属する技術分野】
【０００２】
本発明はテレビドアホン装置に係わり、特に玄関子機と室内親機を接続する伝送路の長さに拘らず、玄関子機のカラーテレビカメラの夜間照明を一定の明るさに維持できるテレビドアホン装置に関する。
【従来の技術】
【０００３】
従来から、実公平５−１３１０６号公報に記載されているようなテレビ付インターホン装置が提案されている。このテレビ付インターホン装置は図５に示すようにドアホン子機ＢＱ51と室内親機ＡＱ51とで構成されている。
【０００４】
ドアホン子機ＢＱ51は、マイクロホンを兼ねた子機側のスピーカ５１と、直流分阻止用コンデンサＣ51と、室内親機ＡＱ51を呼び出すための押下操作を行う呼出スイッチＳＷ51と、時定数回路５３を形成し直列接続されている抵抗Ｒ51とコンデンサＣ51と、スイッチング用のＰＮＰ形トランジスタＴｒ51と、照明用ランプＲＬ51と、来訪者を撮像するカメラ５２とが設けられている。
【０００５】
室内親機ＡＱ51は、マイクロホンを兼ねた親機側のスピーカ６１と、前述の呼出スイッチＳＷ51の押下操作による待受状態および通話状態を連動して切り替える選局スイッチＳＷ61、ＳＷ62と、通話状態における送話および受話状態を切り替えるプレストークスイッチＳＷ71、ＳＷ72と、拡声アンプ６２と、呼出音発生装置６３と、一定時間動作するタイマ回路６４と、テレビモニタ６５と、電流制限用抵抗Ｒ61と、前述のドアホン子機ＢＱ51の呼出スイッチＳＷ51の押下操作により動作するＮＰＮ形トランジスタＴｒ61とが設けられている。
【０００６】
このように構成されているテレビ付インターホン装置において、ドアホン子機ＢＱ51の呼出スイッチＳＷ５１を押下すると、室内親機ＡＱ51の選局スイッチＳＷ61の常閉接点が閉成され電源がオンされてスピーカ６１より呼出音が鳴動するとともに、 ＮＰＮトランジスタＴｒ61がオンされてタイマ回路６４が一定時間動作する。よって、テレビモニタ６５がオンされドアホン子機ＢＱ51のカメラ５２からの来訪者の映像が映し出される。更に、抵抗Ｒ51とコンデンサＣ52とからなる時定数回路５３で定められた時定数により、照明用ランプＲＬ51に電圧が印加されて徐々に点灯する。
【０００７】
尚、選局スイッチＳＷ61、ＳＷ62を動作させると、プレストークスイッチＳＷ71、ＳＷ72の操作によってドアホン子機ＢＱ51および室内親機ＡＱ51のスピーカ５１、６１がスピーカまたはマイクロホンに相互切り替えされて、通話（送話、受話）が可能となる。また、選局スイッチＳＷ61、ＳＷ62を元の状態に戻すことにより、テレビモニタ６５の電源および照明用ランプＲＬ51の電源がオフされて初期状態である待受状態に復旧する。
【発明が解決しようとする課題】
【０００８】
しかしながら、従来のテレビ付インターホン装置は、時定数回路５３で定められた時定数により照明用ランプＲＬ51を徐々に点灯させたが、伝送路が長くなることでドアホン子機ＢＱ51への供給電圧が低下するため、伝送路の長さ（≒線路抵抗）により照明用ランプＲＬ51の明るさが変化するという難点があった。
【０００９】
本発明はこのような難点を解消するためになされたもので、夜間照明用ＬＥＤとして白色ＬＥＤに流れる電流を徐々に増加させ、段々と明るくするように構成し、かつ明るさを伝送路の長さに関係なく一定に維持可能なカラーテレビドアホン装置を提供することを目的としている。
【課題を解決するための手段】
【００１０】
このような目的を達成するために本発明のカラーテレビドアホン装置は、玄関子機で呼出ボタンを押下したとき照明用ＬＥＤを点灯させカラーテレビカメラにより来訪者を撮像したカラー映像信号を、玄関子機に２線の伝送路を介して接続された室内親機でカラーテレビモニタによりモニタするカラーテレビドアホン装置であって、玄関子機は、呼出ボタンが押下されたとき室内親機から伝送路を介して供給されてくる電源電圧を一定の電圧に調整する定電圧回路と、定電圧回路からの定電圧出力が印加され、照明用ＬＥＤに流れるＬＥＤ電流を漸増して点灯による照明を徐々に明るくするための充電特性をもつコンデンサを含む電流制御回路と、電流制御回路からの電流出力によりＬＥＤ電流を定電流化して供給する定電流回路とを有する照明回路を備えたものである。
【００１１】
このように構成された本発明のカラーテレビドアホン装置において、玄関子機の呼出ボタン押下時である呼出状態の際、室内親機から供給される電源電圧により点灯する夜間照明用ＬＥＤである白色ＬＥＤを来訪者を驚かせることなく徐々に点灯させ、かつ明るさを維持させるために、室内親機から供給される電源電圧を定電圧化させ、電流制御回路により徐々に増加する電流により定電流回路の電流も徐々に増加させて、白色ＬＥＤに流す電流が徐々に増加することにより徐々に明るくなり、定電流値に到達することにより伝送路の長さに影響されずに一定の明るさを維持できる。
【発明の実施の形態】
【００１２】
以下、本発明のカラーテレビドアホン装置をその実施の形態例について図面を参照して説明する。
【００１３】
図１に示すカラーテレビドアホン装置は、玄関子機ＢＱ1と室内親機ＡＱ1とが２線の伝送路Ｌ１、Ｌ2を介して接続されている。
【００１４】
玄関子機ＢＱ1は、来訪者が呼び出のための押下操作を行う呼出スイッチＳＷ1と、来訪者を撮像したカラー映像信号を生成送出するカラーテレビカメラ１と、前述のカラー映像信号をＦＭ変調するＦＭ変調回路２と、ＦＭ変調されたカラー映像信号を不平衡・平衡変換する不平衡・平衡変換回路３と、カメラ電源回路４と、夜間照明用ＬＥＤである白色ＬＥＤ３４を点灯させる照明回路７と、ＳＷ回路５と、前述のＳＷ回路５を介してカメラ電源回路４または照明回路７に室内親機ＡＱ1から供給される電源電圧（１５〜２０Ｖ）を受給する電源受給回路６と、子機ＣＰＵ８と、制御信号検出回路９と、室内親機ＡＱ1と通話のための音声信号の送受を行うスピーカＳＰ1およびマイクＭＩＣ1が接続されている通話回路１０とが設けられている。
【００１５】
カラーテレビカメラ１の出力側はＦＭ変調回路２および不平衡・平衡変換回路３を介して子機側端子Ｔ1、Ｔ2に接続されており、子機側端子Ｔ1、Ｔ2は２線の伝送路Ｌ1、Ｌ2を夫々介して親機側端子Ｔ3、Ｔ4に接続されている。
【００１６】
電源受給回路６の入力側は子機側端子Ｔ1、Ｔ2に接続されており、電源受給回路６の出力側はＳＷ回路５の一方の入力側に接続されている。ＳＷ回路５の出力側はカメラ電源回路４を介したカラーテレビカメラ１の電源入力側と照明回路７の入力側に夫々接続されている。
【００１７】
制御信号検出回路９の入力側は子機側端子Ｔ1、Ｔ2に接続されており、制御信号検出回路９の出力側は子機ＣＰＵ８の一方の入力側に接続されている。子機ＣＰＵ８の他方の入力側は呼出スイッチＳＷ1に接続されている。また子機ＣＰＵ８の一方の出力側はＳＷ回路５の他方の入力側に接続されており、子機ＣＰＵ８の他方の出力側は子機側端子Ｔ1、Ｔ2に接続されている。
【００１８】
また、一端に通話のための音声信号の送受を行うスピーカＳＰ1およびマイクロホンＭＩＣ1が接続されている通話回路１０の他端は子機側端子Ｔ1、Ｔ2に接続されている。
【００１９】
尚、前述の照明回路７は図２に示すように、５ＶレギュレータＲＧ1とコンデンサＣ2、Ｃ3とから成る定電圧回路３１と、抵抗Ｒ1、Ｒ2とコンデンサＣ1とオペアンプＯＰ1とから成る電流制御回路３２と、 ＮＰＮ形ペアトランジスタＴｒ2、Ｔｒ3と抵抗Ｒ6、Ｒ7とから成るカレントミラー形の定電流回路３３と、３個ずつ直列接続されている発光ダイオードＤ1、Ｄ2が並列接続され形成されている白色ＬＥＤ３４と、スイッチング用のＰＮＰ形ダイオードＴｒ1と、抵抗Ｒ3〜Ｒ5、Ｒ8〜Ｒ10とが設けられている。
【００２０】
室内親機ＡＱ1から供給される電源電圧を受給するＩＮ端子は、図１に示すＳＷ回路５の出力側に接続されているとともに、抵抗Ｒ10を介して定電圧回路３１を成す５ＶレギュレータＲＧ1の入力部に接続されている。５ＶレギュレータＲＧ1の両端である入力部および出力部間にはコンデンサＣ2とコンデンサＣ3が接続されている。また、５ＶレギュレータＲＧ1の出力側は電流制御回路３２をなす抵抗Ｒ1を介してオペアンプＯＰ1の（−）入力端子に接続されている。
【００２１】
オペアンプＯＰ1の（＋）入力端子は一方が基準電位点に接続されている抵抗Ｒ2が接続されている。オペアンプＯＰ1の（−）入力端子と出力端子間にはコンデンサＣ1が接続されている。また、オペアンプＯＰ1の出力端子は抵抗Ｒ4を介してＰＮＰ形トランジスタＴｒ1のベースに接続されている。
【００２２】
ＰＮＰ形トランジスタＴｒ１のコレクタは抵抗Ｒ5を介して定電流回路３３を成しカレントミラー形のＮＰＮ形トランジスタＴｒ2のベースとコレクタに接続されている。また、ＮＰＮ形トランジスタＴｒ2のベースと一方のＮＰＮ形トランジスタＴｒ3のベースとが接続されている。また、各ＮＰＮ形トランジスタＴｒ2、Ｔｒ3のエミッタは夫々抵抗Ｒ6、Ｒ7を介して基準電位点に接続されている。
【００２３】
３個づつ直列接続されている発光ダイオードＤ１、Ｄ2が並列接続され形成されている白色ＬＥＤ３４のアノード側は電源電圧の受給部であるＩＮ端子に接続されており、白色ＬＥＤ３４のカソード側は抵抗Ｒ8、Ｒ9を夫々介してＮＰＮ形トランジスタＴｒ3のコレクタに接続されている。
【００２４】
室内親機ＡＱ1は、玄関子機ＢＱ1のカラーテレビカメラ１で生成送出され２線の伝送路Ｌ1、Ｌ2を介して伝送されたカラー映像信号を平衡・不平衡変換する平衡・不平衡変換回路１３と、平衡・不平衡変換されたカラー映像信号を増幅させる映像アンプ１２と、増幅されたカラー映像信号をモニタするカラーテレビモニタ１１と、玄関子機ＢＱ1の呼出スイッチＳＷ１が押下された際に２線の伝送路Ｌ1、Ｌ2を介して伝送される呼出起動信号を入力し、呼び出された呼出状態であることを室内親機ＡＱ1で確認するための呼出検出回路１４と、チャイム信号を呼出音（拡声音）として増幅する拡声アンプ２２と、呼出音（拡声音）を鳴動する拡声スピーカＳＰ2と、玄関子機電源供給回路１５と、制御信号送出回路１６と、親機ＣＰＵ１７と、室内親機ＡＱ1および玄関子機ＢＱ1の各回路へ電源を供給するＡＣプラグに接続されている電源供給回路１８と、モニタ電源回路１９と、照明ＯＮ→ＯＦＦスイッチＳＷ11と、映像モニタスイッチＳＷ12と、玄関子機ＢＱ1と通話のための音声信号の送受を行うためのスピーカとマイクロホンから成る送受器２０が接続されている通話回路２１とが設けられている。
【００２５】
カラーテレビモニタ１１の信号入力側は映像アンプ１２および平衡・不平衡変換回路１３を介して親機側端子Ｔ3、Ｔ4に接続されている。カラーテレビモニタ１１の電源入力側はモニタ電源回路１９を介した電源供給回路１８の出力側に接続されている。
【００２６】
呼出検出回路１４の入力側は親機側端子Ｔ3、Ｔ4に接続されており、呼出検出回路１４の出力側は親機ＣＰＵ１７の一方の入力側に接続されている。
【００２７】
玄関子機電源供給回路１５の出力側は親機側端子Ｔ3、Ｔ4に接続されており、
玄関子機電源供給回路１５の電源入力側は電源供給回路１８の出力側に接続され、また、制御入力側は親機ＣＰＵ１７の一方の出力側に接続されている。
【００２８】
制御信号送出回路１６の出力側は親機側端子Ｔ3、Ｔ4に接続されており、制御信号送出回路１６の入力側は親機ＣＰＵ１７に接続されている。
【００２９】
一方に送受器２０が接続されている通話回路２１の他方は親機側端子Ｔ3、Ｔ4に接続されている。また、出力側に拡声スピーカＳＰ2が接続されている拡声アンプ２２の入力側は親機ＣＰＵ１７のチャイム信号出力側に接続されている。
【００３０】
このように構成されている本発明のカラーテレビドアホン装置について、以下、その動作について説明する。
【００３１】
例えば夜間において、玄関子機ＢＱ1の呼出スイッチＳＷ1を来訪者が押下操作することにより呼出起動信号が子機ＣＰＵ８および２線の伝送路Ｌ1、Ｌ2を介して室内親機ＡＱ1の呼出検出回路１４に入力されることから呼出状態を検出し、更に、親機ＣＰＵ１７に知らされ、親機ＣＰＵ１７内で生成されたチャイム信号は拡声アンプ２２で増幅され、呼出音（拡声音）として拡声スピーカＳＰ2を鳴動させる。
【００３２】
上記状態において、玄関子機ＢＱ1のカラーテレビカメラ１を用いて来訪者の夜間撮像をカラーで見るためには夜間照明を利用せねばならないことから、室内親機ＡＱ1で呼出状態において予め照明スイッチＳＷ11がオン側にセットされていることにより、親機ＣＰＵ１７を介した制御信号が制御信号送出回路１６→２線の伝送路Ｌ1、Ｌ2→ドアホン子機ＢＱ1の制御信号検出回路９→子機ＣＰＵ８の経路で伝送されＳＷ回路５が切り替わり、ＡＣプラグおよび電源供給回路１８を介した電源電圧が電源供給回路１８→玄関子機電源供給回路１５→２線の伝送路Ｌ1、Ｌ2→電源受給回路６→ＳＷ回路５と経由されて図２に示す照明回路７のＩＮ端子に受給される。
【００３３】
図２のＩＮ端子に受給された電源電圧は抵抗Ｒ10を介し定電圧回路３１の５ＶレギュレータＲＧ1の入力部に印加され、出力部より出力される電源電圧は一定値である５Ｖに定電圧制御されて出力され、電流制御回路３２を成す抵抗Ｒ1を介してオペアンプＯＰ1の（−）入力端子と出力端子の両端に印加されることによりコンデンサＣ1に徐々に充電されるようになる。よって、前述のコンデンサＣ1の充電特性により抵抗Ｒ4を介してＰＮＰ形トランジスタＴｒ1へのベースバイアス電流も徐々に増加され、このベースバイアス電流が印加されることによりＰＮＰ形トランジスタＴｒ1は徐々にオンされてベース−コレクタ電圧が徐々に導通される。
【００３４】
また、ＰＮＰ形トランジスタＴｒ1のコレクタ電流が抵抗Ｒ5を介して定電流回路３３を成しカレントミラー形のＮＰＮ形トランジスタＴｒ2のベースとコレクタに入力され、このコレクタ電流も徐々に増加されて印加される。従って、カレントミラー形を成すもう一方のＮＰＮ形トランジスタＴｒ3のコレクタにも図４に示すように白色ＬＥＤ３４に流れるＬＥＤ電流も徐々に増加され、白色ＬＥＤ３４の点灯による照明を徐々に明るくすることができる。
【００３５】
また、電流制御回路３２のコンデンサＣ1が満充電（５Ｖ）されると、ＮＰＮ形トランジスタＴｒ1のコレクタ電流と、カレントミラー構造を成すＮＰＮ形トランジスタＴｒ2およびＴｒ3のコレクタ電流が等しくなり定電流化されて、図４に示すように白色ＬＥＤ３４に流れるＬＥＤ電流も定電流値となり、一定の明るさを保持しながら白色ＬＥＤ３４が点灯される。
【００３６】
また、ＳＷ回路５が切り替わったとき、電源供給回路１８→玄関子機電源供給回路１５→２線の伝送路Ｌ1、Ｌ2→電源受給回路６→ＳＷ回路５と経由され、カメラ電源供給回路４を介してカラーテレビカメラ１に供給されることによりカラーテレビカメラ１が動作されて、撮像され生成送出された来訪者のカラー映像信号がＦＭ変調回路２不平衡・平衡変換回路３を介して子機側端子Ｔ1、Ｔ2に入力され、２線の伝送路Ｌ1、Ｌ2を介して親機側端子Ｔ3、Ｔ4に入力される。また、電源供給回路１８から供給される電源電圧はモニタ電源回路１９を介してカラーテレビモニタ１１に供給されることから、前述の親機側端子Ｔ3、Ｔ4に入力されたカラー映像信号が平衡・不平衡変換回路１３を介して映像アンプ１２にて増幅されてカラーテレビモニタ１１に入力されるにより、来訪者の映像をモニタすることができる。
【００３７】
また、ドアホン子機ＢＱ1と室内親機ＡＱ1との通話のための音声信号の送受を行うには、ドアホン子機ＢＱ1の通話回路１０に接続されているスピーカＳＰ1およびマイクロホンＭＩＣ1と２線の伝送路Ｌ1、Ｌ2を介して、室内親機ＡＱ1の通話回路２１に接続されているスピーカとマイクロホンから成る送受器２１とで音声信号の送受が可能である。
【００３８】
以上の実施例では、照明回路７において夜間照明用である白色ＬＥＤ３４を点灯させるために定電流回路３３においてカレントミラー形のＮＰＮ形ペアトランジスタＴｒ2、Ｔｒ3を利用したが、オペアンプを利用した定電流回路が設けられた照明回路を他の実施例として、以下、図３を参照して説明する。
【００３９】
図３に示す照明回路７'において、定電圧回路３１および電流制御回路３２および白色ＬＥＤ３４は図２に示す照明回路７の各回路と同様な構成であるので説明は省略する。
【００４０】
定電流回路３５はオペアンプＯＰ2と、抵抗Ｒ12、Ｒ13、Ｒ14と、ＮＰＮ形トランジスタＴｒ4とから成り、オペアンプＯＰ2の（＋）入力端子は電流制御回路３２を構成するオペアンプＯＰ1の出力端子に接続されており、 オペアンプＯＰ2の（−）入力端子は抵抗Ｒ14を介して基準電位点に接続されている。オペアンプＯＰ2の出力端子は抵抗Ｒ12を介してＮＰＮ形トランジスタＴｒ4のベースに接続されており、 ＮＰＮ形トランジスタＴｒ4のベース−エミッタ間には抵抗Ｒ13が接続されている。
【００４１】
この図３に示す照明回路７'において、図２の照明回路７と同様に、室内親機ＡＱ1からの電源電圧がＩＮ端子に印加されると、定電圧回路３１を介して５Ｖに定電圧制御された出力電圧により、電流制御回路３２の抵抗Ｒ1を介してコンデンサＣ1に徐々に充電され、電流制御回路３２を介したバイアス電流として定電流回路３５のオペアンプＯＰ2の（＋）入力端子に印加される。オペアンプＯＰ2の（＋）入力端子に印加される電圧は、前述のコンデンサＣ1の充電特性により徐々に増加することから、オペアンプＯＰ2の（＋）入力端子の電位とオペアンプＯＰ2の（−）入力端子の電位とが同じになるよう定電圧回路３５は動作するために抵抗Ｒ14の両端の電位が徐々に増加して、図４に示すように白色ＬＥＤに流れるＬＥＤ電流も徐々に増加され、白色ＬＥＤ３４の点灯による照明を徐々に明るくすることができる。
【００４２】
また、電流制御回路３２のコンデンサＣ1が満充電（５Ｖ）されると、定電流回路３５を介して定電流化されて、図４に示すように白色ＬＥＤ３４に流れるＬＥＤ電流も定電流値となり、一定の明るさを保持しながら白色ＬＥＤ３４が点灯される。
【００４３】
尚、上記実施例では、電流制御回路をコンデンサとオペアンプで構成したが、コンデンサと抵抗を利用して白色ＬＥＤの電流供給を制御して徐々に点灯させても同様な効果を奏する。また、照明回路の定電流回路を構成するカレントミラ−およびオペアンプを使用したが、定電流ダイオード等を利用しても同様な効果を奏する。
【発明の効果】
【００４４】
以上の説明から明らかなように、本発明のカラーテレビドアホン装置によれば、来訪者が呼出スイッチを押下した時、白色ＬＥＤが徐々に点灯するために一定の明るさを維持しながら来訪者を驚かすことなく照明を当てながら、夜間でも来訪者をカラー撮像することが可能である。
【図面の簡単な説明】
【００４５】
【図１】本発明のカラーテレビドアホン装置の一実施例を示すブロック図。
【図２】本発明のカラーテレビドアホン装置を構成する照明回路の一実施例を示す回路図。
【図３】本発明のカラーテレビドアホン装置を構成する照明回路の他の実施例を示す回路図。
【図４】図２および図３に示す照明回路の定電流回路を利用した際の電圧−時間特性を示すグラフ。
【図５】従来のカラーテレビドアホン装置を示すブロック図。
【符号の説明】
【００４６】
ＡＱ1‥‥‥室内親機
ＢＱ1‥‥‥玄関子機
１‥‥‥カラーテレビカメラ
１１‥‥‥カラーテレビモニタ
３１‥‥‥定電圧回路
３２‥‥‥電流制御回路
３３、３５‥‥‥定電流回路
３４‥‥‥白色ＬＥＤ
ＳＷ1‥‥‥呼出スイッチ
Ｌ1、Ｌ2‥‥‥２線の伝送路
Ｃ1‥‥‥コンデンサ
７‥‥‥照明回路
【図１】
0003586071.tif 000002
【図２】
0003586071.tif 000003
【図３】
0003586071.tif 000004
【図４】
0003586071.tif 000005
【図５】
0003586071.tif 000006